(57)【要約】      （修正有）【課題】骨格または近位関節の骨折の治療に適しており、骨ネイルのねじ込み方向を斜めに調整することが可能なユニバーサル骨プレートを提供する。【解決手段】ユニバーサル骨プレートは、骨プレート本体１０が設けられており、骨プレート本体１０には、上面１２と、底面とが形成されており、上面１２と底面とを貫通する板穴Ａが複数設けられており、これらの板穴Ａは、複数のユニバーサルロック穴２０を備え、各ユニバーサルロック穴２０の内周面には、周方向に沿って同じ距離で離隔され内側へ突出する柱が五つ設けられており、隣接する柱同士の間に溝がそれぞれ形成されており、各柱の内面にメネジ段が形成されている。【選択図】図１
0003228590.tif 000002
【実用新案登録請求の範囲】
【請求項１】
骨プレート本体が設けられており、前記骨プレート本体には、上面と、底面とが形成されており、前記上面と前記底面とを貫通する複数の板穴が設けられており、前記複数の板穴は、複数のユニバーサルロック穴を備え、前記各ユニバーサルロック穴の内周面には、周方向に沿って同じ距離で離隔され内側へ突出する柱が五つ設けられており、隣接する前記柱同士の間に溝がそれぞれ形成されており、前記各柱の内面にメネジ段が形成されていることを特徴とするユニバーサル骨プレート。
【請求項２】
前記各ユニバーサルロック穴の上部にボール形状円弧面が形成されており、前記各ボール形状円弧面の底側は、前記各柱と前記各溝との上縁と連結することを特徴とする、請求項１に記載のユニバーサル骨プレート。
【請求項３】
前記板穴は、更に、一つ以上のユニバーサル加圧ロック穴を備え、前記各ユニバーサル加圧ロック穴の両側には、ユニバーサルロック穴部と、加圧穴部とがそれぞれ形成されており、前記各ユニバーサルロック穴部と前記各加圧穴部とは、部分的に重なり合って、両方を連通する開口が形成されており、前記各ユニバーサルロック穴部の内周面には、周方向に沿って同じ距離で離隔され内側へ突出する第２柱が五つ設けられており、隣接する前記第２柱同士の間に第２溝がそれぞれ形成されており、前記各第２柱の内面に第２メネジ段が形成されており、前記加圧穴部は、穿孔であり、その上部に加圧テーパー面が形成されていることを特徴とする、請求項１又は２に記載のユニバーサル骨プレート。
【請求項４】
前記ユニバーサルロック穴部の上部に第２ボール形状円弧面が形成されており、前記第２ボール形状円弧面の底側は、前記第２メネジ段と前記第２溝との上縁と連結することを特徴とする、請求項３に記載のユニバーサル骨プレート。
【請求項５】
前記骨プレート本体は、前後方向に沿って延びる長形なプレートであり、前記骨プレート本体の前端と後端とには、骨削り部がそれぞれ形成されており、前記骨削り部の上側に傾斜面が形成されていることを特徴とする、請求項４に記載のユニバーサル骨プレート。
【請求項６】
前記骨プレート本体の底面は、中央がより高くて左右側がより低い凹状の円弧面であり、前記底面には、前後方向に沿って距離を置いて配列された複数対の減圧溝が形成されていることを特徴とする、請求項５に記載のユニバーサル骨プレート。
【請求項７】
前記骨プレート本体は、前後方向に沿って伸びる長形な板体であり、前記板穴は二つのユニバーサル加圧ロック穴を備え、前記二つのユニバーサル加圧ロック穴は、それぞれ前記骨プレート本体の前半部と後半部とに位置し、前記二つのユニバーサル加圧ロック穴の二つの加圧穴部は、前記骨プレート本体の中央から遠く離れた位置に位置し、前記二つのユニバーサル加圧ロック穴の二つのユニバーサルロック穴部は、前記骨プレート本体の中央に近接する位置に位置することを特徴とする、請求項３に記載のユニバーサル骨プレート。
【請求項８】
前記骨プレート本体は、前後方向に沿って伸びる長形な板体であり、前記複数の板穴は、一直線に沿って前記骨プレート本体に配列されており、三つのユニバーサルロック穴と、二つのユニバーサル加圧ロック穴と、から構成され、前記三つのユニバーサルロック穴は、前記骨プレート本体の中央と、前端部と、後端部とに形成されており、前記二つのユニバーサル加圧ロック穴は、それぞれ前後に隣接する前記ユニバーサルロック穴同士の間に位置することを特徴とする、請求項４に記載のユニバーサル骨プレート。
【請求項９】
前記二つのユニバーサル加圧ロック穴の二つの加圧穴部は、前記骨プレート本体の中央から遠く離れた位置に位置し、前記二つのユニバーサル加圧ロック穴の二つのユニバーサルロック穴部は、前記骨プレート本体の中央に近接する位置に位置することを特徴とする、請求項８に記載のユニバーサル骨プレート。
【請求項１０】
前記骨プレート本体は、前後方向に沿って伸びる長形な板体であり、前記板穴は、複数のユニバーサルロック穴と、複数のユニバーサル加圧ロック穴と、から構成され、前記複数のユニバーサルロック穴と前記複数のユニバーサル加圧ロック穴とは、前記各ユニバーサルロック穴と前記各ユニバーサル加圧ロック穴が前後方向に沿って交錯するように、一直線に沿って配列されていることを特徴とする、請求項３に記載のユニバーサル骨プレート。
【考案の詳細な説明】
【技術分野】
【０００１】
本考案は、整形外科用の固定物に関し、特に、骨格または近位関節の骨折の治療に適しており、骨ネイルのねじ込み方向を斜めに調整可能なユニバーサル骨プレートに関するものである。
【背景技術】
【０００２】
患者の骨格または近位関節の骨折を治療する場合には、骨プレートに骨ネイルを合わせて利用することにより、このような骨折を治療する。従来の骨プレートには、複数の加圧穴またはねじ穴などの板穴が設けられている。骨プレートに骨ネイルを合わせて骨の断裂箇所を固定する場合には、まず、骨ネイルを加圧して両側の加圧穴および骨に偏心的にロックして、骨を横方向に沿って断裂方向へ加圧することにより、骨の断裂箇所を密着した後、骨プレートの両側にあるねじ穴に、ヘッド部にネジが設けられている骨ネイルをねじ込んで、断裂された骨に骨プレートを強固にロックして固定する。
【０００３】
しかし、従来の骨プレートに骨ネイルを合わせることにより、断裂した骨を固定することは可能であるが、骨ネイル、又はヘッド部にネジが設けられている骨ネイルを加圧して骨プレートにねじ込むときに、骨プレートに垂直するようにねじ込むことが必要である。このため、骨プレートを設置する位置が人工関節に近接し、又はねじ込まれた骨ネイルが患者の骨粗鬆や粉砕骨折の箇所を回避することが必要な場合には、骨ネイルの差込角度をずらして上記のような位置を回避することができないため、骨プレートを固定する位置の選択が困難となり、良い治療効果を得ることができない。
【考案の概要】
【考案が解決しようとする課題】
【０００４】
本考案の主な目的は、その内側に五段のメネジ段が形成されているユニバーサルロック穴が複数設けられていることにより、ヘッド部にネジが設けられている骨ネイルを斜めにねじ込むことを可能にして、良い治療効果を得ることができるユニバーサル骨プレートを提供することにある。
【課題を解決するための手段】
【０００５】
本考案の一実施形態に係るユニバーサル骨プレートによると、骨プレート本体が設けられており、骨プレート本体には、上面と、底面とが形成されており、上面と底面とを貫通する複数の板穴が設けられており、これらの板穴は、複数のユニバーサルロック穴を備え、各ユニバーサルロック穴の内周面には、周方向に沿って同じ距離で離隔され内側へ突出する柱が五つ設けられており、隣接する柱同士の間に溝がそれぞれ形成されており、各柱の内面にメネジ段が形成されていることを特徴とする。
【０００６】
本考案の一実施形態に係るユニバーサル骨プレートによると、各ユニバーサルロック穴の上部にボール形状円弧面が形成されており、各ボール形状円弧面の底側は、各柱と各溝との上縁と連結することを特徴とする。
【０００７】
本考案の一実施形態に係るユニバーサル骨プレートによると、板穴は、更に、一つ以上のユニバーサル加圧ロック穴を備え、各ユニバーサル加圧ロック穴の両側には、ユニバーサルロック穴部と、加圧穴部とがそれぞれ形成されており、各ユニバーサルロック穴部と各加圧穴部とは、部分的に重なり合って、両方を連通する開口が形成されており、各ユニバーサルロック穴部の内周面には、周方向に沿って同じ距離で離隔され内側へ突出する第２柱が五つ設けられており、隣接する第２柱同士の間に第２溝がそれぞれ形成されており、各第２柱の内面に第２メネジ段が形成されており、加圧穴部は、穿孔であり、その上部に加圧テーパー面が形成されていることを特徴とする。
【０００８】
本考案の一実施形態に係るユニバーサル骨プレートによると、ユニバーサルロック穴部の上部に第２ボール形状円弧面が形成されており、第２ボール形状円弧面の底側は、第２メネジ段と第２溝との上縁と連結することを特徴とする。
【０００９】
本考案の一実施形態に係るユニバーサル骨プレートによると、骨プレート本体は、前後方向に沿って延びる長形なプレートであり、骨プレート本体の前端と後端とには、骨削り部がそれぞれ形成されており、骨削り部の上側に傾斜面が形成されていることを特徴とする。
【００１０】
本考案の一実施形態に係るユニバーサル骨プレートによると、骨プレート本体の底面は、中央がより高くて左右側がより低い凹状の円弧面であり、底面には、前後方向に沿って距離を置いて配列された複数対の減圧溝が形成されていることを特徴とする。
【００１１】
本考案の一実施形態に係るユニバーサル骨プレートによると、骨プレート本体は、前後方向に沿って伸びる長形な板体であり、板穴は二つのユニバーサル加圧ロック穴を備え、二つのユニバーサル加圧ロック穴は、それぞれ骨プレート本体の前半部と後半部とに位置し、二つのユニバーサル加圧ロック穴の二つの加圧穴部は、骨プレート本体の中央から遠く離れた位置に位置し、二つのユニバーサル加圧ロック穴の二つのユニバーサルロック穴部は、骨プレート本体の中央に近接する位置に位置することを特徴とする。
【００１２】
本考案の一実施形態に係るユニバーサル骨プレートによると、骨プレート本体は、前後方向に沿って伸びる長形な板体であり、複数の板穴は、一直線に沿って骨プレート本体に配列されており、三つのユニバーサルロック穴と、二つのユニバーサル加圧ロック穴と、から構成され、三つのユニバーサルロック穴は、骨プレート本体の中央と、前端部と、後端部とに形成されており、二つのユニバーサル加圧ロック穴は、それぞれ前後に隣接するユニバーサルロック穴同士の間に位置することを特徴とする。
【００１３】
本考案の一実施形態に係るユニバーサル骨プレートによると、二つのユニバーサル加圧ロック穴の二つの加圧穴部は、骨プレート本体の中央から遠く離れた位置に位置し、二つのユニバーサル加圧ロック穴の二つのユニバーサルロック穴部は、骨プレート本体の中央に近接する位置に位置することを特徴とする。
【００１４】
本考案の一実施形態に係るユニバーサル骨プレートによると、骨プレート本体は、前後方向に沿って伸びる長形な板体であり、板穴は、複数のユニバーサルロック穴と、複数のユニバーサル加圧ロック穴と、から構成され、複数のユニバーサルロック穴と複数のユニバーサル加圧ロック穴とは、各ユニバーサルロック穴と各ユニバーサル加圧ロック穴が前後方向に沿って交錯するように、一直線に沿って配列されていることを特徴とする
【考案の効果】
【００１５】
本考案に係るユニバーサル骨プレートによれば、次のような効果がある。
（１）ユニバーサル骨プレートの内側に五段のメネジ段が形成されているユニバーサルロック穴が複数設けられていることにより、ヘッド部にネジが設けられている骨ネイルを斜めにねじ込むことを可能にして、良い治療効果を得ることができる。
【００１６】
（２）骨プレート本体に設けられている各ユニバーサルロック穴は、ヘッド部にネジが設けられているユニバーサルロックネイルをねじ込んで固定するためのものであるため、各ユニバーサルロック穴の内側は、五段のメネジ段に分けられ、ユニバーサルロックネイルのヘッド部のネジをメネジ段にねじ込む場合には、垂直方向に沿い、又は垂直線に対して一定の角度で傾斜する方式でねじ込むことができる。ユニバーサルロックネイルを斜めにねじ込む場合に、ヘッド部のネジは、周面の異なる部分で、各メネジ段の異なる部分にねじ込む。歯をジャンプさせる方式で、異なるメネジ段にねじ込むことにより、ユニバーサルロックネイルは、ヘッド部を、ユニバーサルロック穴にねじ込むと同時に、骨にねじ込むこともでき、骨に骨プレート本体を強固に固定することができる。
【００１７】
（３）ユニバーサルロックネイルをユニバーサルロック穴に斜めにねじ込むことができることにより、医者は必要によって適切な角度でユニバーサルロックネイルをねじ込むことができる。これにより、人工関節の位置を回避することができ、ユニバーサルロックネイルの骨ネイルが人工関節と互いに干渉することを回避することができる。一方、ユニバーサルロックネイルをねじ込むときに、ねじ込み角度を調整することもできることにより、ねじ込むときに、骨粗鬆の区域または骨粉砕の部分を回避することができる。これにより、ユニバーサルロックネイルを骨プレート本体にねじ込むと、もっと強固となり、良い治療効果を得ることが可能である。
【図面の簡単な説明】
【００１８】
【図１】本考案の一実施の形態に係るユニバーサル骨プレートを示す斜視図である。
【図２】本考案の一実施の形態に係るユニバーサル骨プレートを示す上面図である。
【図３】本考案の一実施の形態に係るユニバーサル骨プレートを示す下面図である。
【図４】本考案の一実施の形態に係るユニバーサル骨プレートを示す断面図である。
【図５】本考案の一実施の形態に係るユニバーサル骨プレートを示す別の断面図である。
【図６】本考案の一実施の形態に係るユニバーサル骨プレートとガイドスリーブとを示す分解斜視図である。
【図７】本考案の一実施の形態に係るユニバーサル骨プレートにガイドスリーブを結合した状態を示す断面図である。
【図８】本考案の一実施の形態に係るユニバーサル骨プレートにユニバーサルロックネイルを合わせた状態を示す断面図である。
【図９】本考案の一実施の形態に係るユニバーサル骨プレートにユニバーサルロックネイルを合わせた状態を示す別の断面図である。
【図１０】本考案の一実施の形態に係るユニバーサル骨プレートが骨を固定する手術に適用されることを示す図である。
【考案を実施するための形態】
【００１９】
以下、本考案の実施の形態を図面に基づいて説明する。
【００２０】
図１から図５を参照する。本考案に係るユニバーサル骨プレートは、骨プレート本体１０を備える。骨プレート本体１０は、前後方向に沿って伸びる長形な板体である。本実施の形態に係る骨プレート本体１０は、左右の幅がより狭い形態にされるため、骨がより細い女性に適合する。その他の実施の形態に係る骨プレート本体１０は、その幅および具体的な形状が、欧米やアジアの人種の体型または男女の体型によって、骨に合う人間工学で設計することができ、もちろん、本考案はこれに限定されない。
【００２１】
骨プレート本体１０の前端と後端とには、骨削り部１１がそれぞれ形成されている。骨削り部１１の上側に傾斜面１１１が形成されている。これにより、骨削り部１１の末端は、厚さが徐々に減少する形状を呈する。手術を行っているときに、骨プレート本体１０を入れる場合には、骨削り部１１で骨膜をこすり、血液循環を改善し、骨折の治癒過程を改善することができる。骨プレート本体１０の上側と底側とには、上面１２と、底面１３とがそれぞれ形成されている。上面１２と底面１３とは、それぞれ中央がより高くて左右側がより低い、凸曲面と凹曲面とである。底面１３には、前後方向に沿って距離を置くように排列される六対の減圧溝１３１が形成されている。各減圧溝１３１により、手術時に底面１３が骨と接触する表面積を減少することができ、骨を圧迫する圧力を減少することができ、血液循環を改善し、手術による治癒効果を改善することもできる。
【００２２】
上面１２と底面１３とを貫通する五つの板穴Ａは、三つのユニバーサルロック穴２０及び二つのユニバーサル加圧ロック穴３０である。三つのユニバーサルロック穴２０は、それぞれ骨プレート本体１０の中央および前後端部に形成されている。二つのユニバーサル加圧ロック穴３０は、それぞれ前後に隣接するユニバーサルロック穴２０同士の間に位置する。これにより、二つのユニバーサル加圧ロック穴３０は、それぞれ骨プレート本体１０の前半部と後半部とに位置する。三つのユニバーサルロック穴２０と二つのユニバーサル加圧ロック穴３０とは、各ユニバーサルロック穴２０と各ユニバーサル加圧ロック穴３０とが前後方向に沿って交錯する方式で一直線に沿って配列されている。
【００２３】
各ユニバーサルロック穴２０は、その内周面に、周方向に沿って同じ距離を置いて配列され内側へ突出する柱２１が五つ設けられている。隣接する柱２１同士の間には、鉛直方向に沿って延びる溝２２が形成されている。各柱２１の内面にメネジ段２１１が形成されている。各メネジ段２１１の上端の高さは、上面１２の高さより低い。各ユニバーサルロック穴２０の上部の周面には、ボール形状円弧面２３が形成されている。各ボール形状円弧面２３の底側は、各柱２１と各溝２２との上縁と連結する。
【００２４】
ユニバーサル加圧ロック穴３０の両側には、ユニバーサルロック穴部３１と、加圧穴部３２とがそれぞれ形成されている。ユニバーサルロック穴部３１と加圧穴部３２との内側の一部が重なって、互いに連通する開口３３が形成されている。二つのユニバーサル加圧ロック穴３０の二つの加圧穴部３２は、骨プレート本体１０の中央から遠く離れた位置に位置し、その残りの二つのユニバーサルロック穴部３１は、骨プレート本体１０の中央に近接する位置に位置する。
【００２５】
各ユニバーサルロック穴部３１は、その内周面に、周方向に沿って同じ距離を置いて配列され内側へ突出する第２柱３１１が五つ設けられている。隣接する第２柱３１１同士の間には、鉛直方向に沿って延びる第２溝３１２が形成されている。各第２柱３１１の内面に第２メネジ段３１１１が形成されている。第２メネジ段３１１１の上端の高さは、上面１２の高さより低い。ユニバーサルロック穴部３１の上部の周面には、第２ボール形状円弧面３１３が形成されている。各第２ボール形状円弧面３１３の底側と各第２柱３１１と各第２溝３１２との上縁は互いに連結する。加圧穴部３２は、穿孔であり、その上部の周面に加圧テーパー面３２１が形成されている。各加圧テーパー面３２１の内側は、各開口３３まで延びる。各加圧テーパー面３２１のカバー角度は、２７０度を超える。
【００２６】
本考案の実施の形態に係るユニバーサル骨プレートは、さまざまな長骨部分（鎖骨、上腕骨、橈骨、大腿骨、脛骨、腓骨など）の骨格、又は骨の関節に近接する箇所の骨折の固定で使用される。外傷である骨折の治療は、一般手術と再建手術を含み、骨折偽関節の固定と安定化、骨折治癒不良、骨欠損、骨切り術、固定術にも使用できる。
【００２７】
手術器具が各ユニバーサルロック穴２０又は各ユニバーサルロック穴部３１を通過してガイド穴を穴開けるときには、図６に示すように、各ユニバーサルロック穴２０又は各ユニバーサルロック穴部３１にガイドスリーブ４０を嵌めて、ガイドスリーブ４０のテーパー穴４１１にガイドされて、骨にガイド穴を斜めに穴開ける。ガイドスリーブ４０にスリーブ４１が設けられている。テーパー穴４１１はスリーブ４１を貫通する。スリーブ４１の底縁の周面には、周方向に沿って同じ距離を置いて五つの差込ロッド４２が配列されている。五つの差込ロッド４２により、ガイドスリーブ４０は、各ユニバーサルロック穴２０の五つの溝２２、又は各ユニバーサルロック穴部３１の五つの第２溝３１２に差し込んで位置決められることができる。各ユニバーサルロック穴２０と各ユニバーサルロック穴部３１との上側には、ボール形状円弧面２３及び第２ボール形状円弧面３１３がそれぞれ設けられているため、各ユニバーサルロック穴２０又は各ユニバーサルロック穴部３１にガイドスリーブ４０を差し込むと、五つの差込ロッド４２がボール形状円弧面２３又は第２ボール形状円弧面３１３にガイドされて、五つの溝２２又は五つの第２溝３１２に差し込まれることができる。これにより、結合時に、ガイドスリーブ４０の各ユニバーサルロック穴２０又は各ユニバーサルロック穴部３１への位置合わせがもっと迅速となる。
【００２８】
図７を参照する。各ユニバーサルロック穴２０又は各ユニバーサルロック穴部３１にガイドスリーブ４０を差し込んで位置決めするときには、テーパー穴４１１の周面とセンターラインの最大開き角θは１５度であるため、医者は、手術器具を操作してガイドスリーブ４０のテーパー穴４１１を挿通して穴開けるときに、骨粗鬆、骨粉砕または人工関節を回避することができ、骨プレート本体１０の垂直ラインとの開き角が１５度以内の任意の角度のガイド穴を骨に開けることができる。図８に示すように、本考案に係る各ユニバーサルロック穴２０に、ヘッド部にネジ５１が設けられているユニバーサルロックネイル５０をねじ込むことができる。各ユニバーサルロック穴２０の上側にボール形状円弧面２３が形成されているため、図９に示すように、各ユニバーサルロック穴２０に、ヘッド部に球面６１が形成されている加圧ネイル６０をねじ込むことができる。各ユニバーサル加圧ロック穴３０は選択性があり、すなわち、各ユニバーサル加圧ロック穴３０のユニバーサルロック穴部３１に、ユニバーサルロックネイル５０又は加圧ネイル６０をねじ込むことができる。各加圧穴部３２に加圧ネイル６０をねじ込むことができる。これにより、医者は、異なる臨床ニーズに基づいて、異なる骨ネイルの種類および異なるねじ込み位置を選択することが可能である。
【００２９】
図８及び図９を参照する。各ユニバーサルロック穴２０と各ユニバーサルロック穴部３１との内側には、五段のメネジ段２１１と、五段の第２メネジ段３１１１とがそれぞれ設けられているため、五つのメネジ段２１１又は五つの第２メネジ段３１１１に、ユニバーサルロックネイル５０のヘッド部のネジ５１をねじ込むと、ユニバーサルロックネイル５０は、垂直にねじ込む状態から、斜めにねじ込む状態へ変更することができる。このとき、ネジ５１の周面の異なる部分は、各メネジ段２１１又は各第２メネジ段３１１１の高さが異なる部分にねじ込まれる。歯をジャンプさせる方式で、五つのメネジ段２１１又は五つの第２メネジ段３１１１にねじ込むことにより、ユニバーサルロックネイル５０は、骨プレート本体１０の垂直ラインから、何れかの方向へ最大開き角θでずれる（本実施形態では、最大開き角θは１５度である）方式で、各ユニバーサルロック穴２０又は各ユニバーサルロック穴部３１にねじ込むことが可能である。これにより、ねじ込まれるユニバーサルロックネイル５０は、人工関節、骨粗鬆または骨粉砕の部分を回避することができ、ユニバーサルロックネイル５０が人工関節と互い干渉することを回避することができ、骨プレート本体１０の骨に対するねじ込みはもっと強固となる。
【００３０】
図１０を参照する。本考案の一実施の形態に係るユニバーサル骨プレートにより、骨格または近位関節の骨折を治療する場合には、二つの加圧ネイル６０がそれぞれ両側にあるユニバーサル加圧ロック穴３０の加圧穴部３２を挿通して骨Ｂにねじ込んで、各加圧ネイル６０のヘッド部の球面６１を各加圧テーパー面３２１の外側に押し付けることにより、骨Ｂの両側が加圧されて内側にある断裂箇所へ移動されて、骨プレート本体１０の両端にあるユニバーサルロック穴２０にユニバーサルロックネイル５０をそれぞれねじ込むと、骨Ｂに骨プレート本体１０を強固に固定することができる。各ユニバーサルロックネイル５０の各ユニバーサルロック穴２０にねじ込む角度は、骨プレート本体１０に垂直である角度に限らない。
【００３１】
本考案の第１の実施の形態に係るユニバーサル骨プレートは、骨プレート本体１０に、各ユニバーサルロック穴２０と各ユニバーサル加圧ロック穴３０とが一直線に沿って配列されているが、もちろん、必要によって、異なる数量のユニバーサルロック穴２０とユニバーサル加圧ロック穴３０とが骨プレート本体１０に自由に配列されてもよい。例えば骨プレート本体１０の一端により広い区域を形成して、この区域に複数のユニバーサルロック穴２０を設けて、残りのより狭い部分に、ユニバーサルロック穴２０及びその他の形態の板穴Ａを選択的に設け、又は骨プレート本体１０に複数のユニバーサルロック穴２０だけを設けてもよい。一方、各ユニバーサルロック穴２０と各ユニバーサルロック穴部３１との上側には、ボール形状円弧面２３又は第２ボール形状円弧面３１３が設けられていなくてもよく、或いはボール形状円弧面２３又は第２ボール形状円弧面３１３をそれぞれテーパー面にしてもよい。板穴Ａを複数設けてもよく、そしてユニバーサルロック穴２０及びユニバーサル加圧ロック穴３０の他に、その他の数量の加圧穴またはねじ穴の形態の板穴Ａを備えてもよい。加圧穴またはねじ穴の形態の板穴Ａの形態は、円孔に限らず、長孔でもよい。
【符号の説明】
【００３２】
１０  骨プレート本体
１１  骨削り部
１２  上面
１３  底面
２０  ユニバーサルロック穴
２１  柱
２２  溝
２３  ボール形状円弧面
３０  ユニバーサル加圧ロック穴
３１  ユニバーサルロック穴部
３２  加圧穴部
３３  開口
４０  ガイドスリーブ
４１  スリーブ
４２  差込ロッド
５０  ユニバーサルロックネイル
５１  ネジ
６０  加圧ネイル
６１  球面
１１１  傾斜面
１３１  減圧溝
２１１  メネジ段
３１１  第２柱
３１２  第２溝
３１３  第２ボール形状円弧面
３２１  加圧テーパー面
４１１  テーパー穴
３１１１  第２メネジ段
Ａ  板穴
Ｂ  骨
θ  最大開き角
【図１】
0003228590.tif 000003
【図２】
0003228590.tif 000004
【図３】
0003228590.tif 000005
【図４】
0003228590.tif 000006
【図５】
0003228590.tif 000007
【図６】
0003228590.tif 000008
【図７】
0003228590.tif 000009
【図８】
0003228590.tif 000010
【図９】
0003228590.tif 000011
【図１０】
0003228590.tif 000012